(57)【要約】  【課題】  多数のデータの中から所望のデータを選択して再生すると云う操作に対する負担を軽減する。【解決手段】  デジタルビデオカメラ１は、データ記録用の各グループに対応した第１再生ボタン５ａ〜第５再生ボタン５ｅを備え、多数のデータをグループ毎に分別した状態で記録媒体に記録している。液晶画面４における各再生ボタン５ａ〜５ｅの各々の横方箇所には、各再生ボタン５ａ〜５ｅが対応するグループの名称が表示される。記録したデータを再生するときは、そのデータが属するグループに対応する各再生ボタン５ａ〜５ｅのいずれかを押し下げることにより、そのグループとして分別されているデータが順次再生される。【選択図】        図１
2005071440.tif 000002
【特許請求の範囲】
【請求項１】
記録媒体を受け入れる媒体受入部と、再生指示を受け付ける操作受付部と、該操作受付部が再生指示を受け付けたことに応じて前記媒体受入部が受け入れた記録媒体に記録されたデータを再生する再生手段とを備える再生装置において、
再生内容の種別毎にグループを複数設定する設定手段と、
該設定手段が設定した各グループに夫々対応する複数の操作受付部と
を備え、
前記再生手段は、再生指示を受け付けた操作受付部に対応するグループに係る種別に関連したデータを再生する手段を備えることを特徴とする再生装置。
【請求項２】
データを記録する記録媒体と、再生指示を受け付ける操作受付部と、該操作受付部が再生指示を受け付けたことに応じて前記記録媒体に記録してあるデータを再生する再生手段とを備える記録再生装置において、
データ内容に応じた種別に関連付けてデータを前記記録媒体に記録する記録手段と、
該記録手段に係る種別毎にグループを複数設定する設定手段と、
該設定手段が設定した各グループに夫々対応する複数の操作受付部と
を備え、
前記再生手段は、再生指示を受け付けた操作受付部に対応するグループに係る種別に関連したデータを再生する手段を備えることを特徴とする記録再生装置。
【請求項３】
前記記録手段は、前記設定手段が設定したグループ毎にデータを分別して記録する手段を備え、
前記再生手段は、再生指示を受け付けた操作受付部に対応するグループに記録されているデータを再生する手段を備える請求項２に記載の記録再生装置。
【請求項４】
前記記録媒体で記録したデータが属する種別を規定したテーブルと、
該テーブルに基づき再生指示を受け付けた操作受付部に対応するグループに係る種別に属するデータを特定する特定手段と
を更に備え、
前記再生手段は、前記特定手段が特定したデータを再生する手段を備える請求項２に記載の記録再生装置。
【請求項５】
前記記録媒体及び再生手段と、前記複数の操作受付部とは別体にしてある請求項２乃至請求項４のいずれか１つに記載の記録再生装置。
【請求項６】
タッチパネル式の表示部と、
該表示部に前記複数の操作受付部を表示形成する手段と
を更に備える請求項２乃至請求項５のいずれか１つに記載の記録再生装置。
【請求項７】
各グループに係る種別の名称が夫々対応する操作受付部毎に表記してある請求項２乃至請求項６のいずれか１つに記載の記録再生装置。
【請求項８】
表示部と、
該表示部に各グループに係る種別の名称を夫々対応する操作受付部毎に表示する手段と
を更に備える請求項２乃至請求項６のいずれか１つに記載の記録再生装置。
【請求項９】
前記操作受付部は、前記記録媒体が記録するデータに対しグループ指示を受け付けることを可能にしており、
前記記録手段は、グループ指示を受け付けた操作受付部に対応するグループに係る種別に関連付けてデータを記録する手段を備える請求項２乃至請求項８のいずれか１つに記載の記録再生装置。
【請求項１０】
表示部と、
該表示部にグループ指示を受け付けた操作受付部に対応するグループに係る種別の名称を表示する手段と
を更に備える請求項９に記載の記録再生装置。
【請求項１１】
データを記録する記録媒体と、再生指示を受け付ける操作受付部と、該操作受付部が再生指示を受け付けたことに応じて前記記録媒体に記録してあるデータを再生する再生手段とを備える記録再生装置において、
表示部と、
データ内容に応じた種別に関連付けてデータを前記記録媒体に記録する記録手段と、
該記録手段に係る種別毎にグループを複数設定する設定手段と、
該設定手段が設定したグループに係る種別の名称を前記表示部に表示する表示手段と、
該表示手段が表示した複数の名称に対し選択指示を受け付ける選択操作受付部と
を備え、
前記操作受付部は、前記選択操作受付部が選択指示を受け付けた名称の種別に係るグループに対し再生指示を受け付けており、
前記再生手段は、前記操作受付部が再生指示を受け付けたグループに係る種別に関連したデータを再生する手段を備えることを特徴とする記録再生装置。
【請求項１２】
前記請求項２乃至請求項１１のいずれか１つに記載の記録再生装置と、
撮像を行う撮像手段と
を備え、
前記記録媒体は、前記撮像手段が撮像を行った画像データを記録するようにしてあることを特徴とする撮像装置。
【発明の詳細な説明】
【技術分野】
【０００１】
本発明はランダムアクセス可能な記録媒体に記録された多量のデータの中から所望のデータを容易に再生できるようにした再生装置、記録再生装置及び撮像装置に関する。
【背景技術】
【０００２】
従来、記録媒体に磁性テープを用いた再生装置及び記録再生装置が広く利用されていた。しかし、このような装置では巻回した磁性テープの構造より順次的な再生しか行えなかった。近時は半導体メモリ、各種光ディスク及びハードディスクドライブのようなランダムアクセス可能な記録媒体に対応した再生装置及び記録再生装置が登場し、所望の順番にデータを再生可能にしている。また、このような装置に係る記録再生方式を採用したデジタルカメラ及びデジタルビデオカメラのような撮像装置も存在している。
【０００３】
昨今のハードディスクドライブは大容量化が進み、２５０ＧＢ（ギガバイト）のデータを記録できるものもある。この２５０ＧＢのハードディスクドライブでは、ＭＰＥＧ２による圧縮技術を用いることで、６Ｍｂｐｓに圧縮した画像データを約９０時間分記録できる。このような大容量のハードディスクドライブを備える記録再生装置及び撮像装置では、多量に記録された画像データの中から再生したい画像データを探すことに多大な手間を要する。そのため、記録するデータに対しインデックスを作成する方式又はグループ分けによるデータ管理方式等が提案されている。なお、記録媒体の大容量化は半導体メモリ及び各種光ディスクでも進んでいる。
【０００４】
また、再生装置、記録再生装置及び撮像装置は、装置自身の各種機能を作動させるための指示受付用に複数のスイッチ及びボタンを設けており、これらのスイッチ及びボタンは装置本体とは別体のリモートコントローラに設けられることがある。また、撮像画像及び再生画像を表示する画面を備える撮像装置では、タッチパネル式の画面を有する表示部を用いて画面上に表示形成したソフト的なボタンと装置本体に設けたスイッチ及びボタンとを組み合わせて種々の操作を可能にしたものも提案されている（特許文献１参照）。
【特許文献１】特開２０００−２２９９９号公報
【発明の開示】
【発明が解決しようとする課題】
【０００５】
上述したインデックスを作成する方式では、インデックスに従って望むデータを選択することになるが、大容量の記録媒体に多量のデータが記録されているときはインデックス数も多くなり、インデックス自体を探すことに多大な手間を要し、容易に望むデータを選択できないと云う問題がある。
【０００６】
また、グループ分けによるデータ管理方式も、上記インデックス方式と同様に記録媒体の大容量化に伴い作成されるグループ数も多くなる。その結果、所要のグループにアクセスする処理が非常に煩雑になり、またデータ再生時にはグループに分けられたデータがどのような内容であるかをユーザが容易に判別できない。その結果、上記同様に望むデータが容易に再生できないと云う問題が依然として存在する。
【０００７】
さらに、インデックスの作成、グループに応じたデータ記録及び再生等に対する操作は、装置本体又はリモートコントローラ等に設けられた各種スイッチ及びボタンを複数回操作して行うことになるため、ユーザの操作負担が重くなると云う問題がある。
【０００８】
本発明は、斯かる問題に鑑みてなされたものであり、データ内容に応じた種別毎に設定したグループに対応させてスイッチ、ボタンに相当する複数の操作受付部を設けることにより、ユーザの操作負担を大幅に軽減して容易に所望のデータを再生できるようにした再生装置、記録再生装置及び撮像装置を提供することを目的とする。
【０００９】
また、本発明は、グループ毎にデータを記録すること、又は、データが属する種別を規定したテーブルを設けることによりスムーズな再生処理を実現した記録再生装置及び撮像装置を提供することを目的とする。
【００１０】
さらに、本発明は、リモートコントローラに複数の操作受付部を設けることで種々の使用状況に対応可能とした記録再生装置及び撮像装置を提供することを目的とする。
【００１１】
さらに、また、本発明は、各種別に係る名称を表記又は画面表示することで、所望の種別に対応した操作受付部を容易に判別できるようにした記録再生装置及び撮像装置を提供することを目的とする。
【００１２】
本発明は、各操作受付部をデータ記録時にも利用することで、種別毎に関連付けてデータを記録できるようにした記録再生装置及び撮像装置を提供することを目的とする。
【００１３】
また、本発明は、記録される種別の名称を表示することにより、ユーザが記録内容を容易に確認できるようにした記録再生装置及び撮像装置を提供することを目的とする。
【００１４】
さらに、本発明は、各種別の名称を画面表示して選択可能にすることで、ユーザが容易に所望のデータを再生できるようにした記録再生装置及び撮像装置を提供することを目的とする。
【００１５】
さらに、また、本発明は、撮像に係る画像データをデータ内容に応じた種別に関連づけて記録することより、データ記録及びデータ再生に係る操作性を向上させた撮像装置を提供することを目的とする。
【課題を解決するための手段】
【００１６】
上記課題を解決するために、本発明の再生装置は、記録媒体を受け入れる媒体受入部と、再生指示を受け付ける操作受付部と、該操作受付部が再生指示を受け付けたことに応じて前記媒体受入部が受け入れた記録媒体に記録されたデータを再生する再生手段とを備える再生装置において、再生内容の種別毎にグループを複数設定する設定手段と、該設定手段が設定した各グループに夫々対応する複数の操作受付部とを備え、前記再生手段は、再生指示を受け付けた操作受付部に対応するグループに係る種別に関連したデータを再生する手段を備えることを特徴とする。
【００１７】
本発明の記録再生装置は、データを記録する記録媒体と、再生指示を受け付ける操作受付部と、該操作受付部が再生指示を受け付けたことに応じて前記記録媒体に記録してあるデータを再生する再生手段とを備える記録再生装置において、データ内容に応じた種別に関連付けてデータを前記記録媒体に記録する記録手段と、該記録手段に係る種別毎にグループを複数設定する設定手段と、該設定手段が設定した各グループに夫々対応する複数の操作受付部とを備え、前記再生手段は、再生指示を受け付けた操作受付部に対応するグループに係る種別に関連したデータを再生する手段を備えることを特徴とする。
【００１８】
本発明の記録再生装置は、前記記録手段は、前記設定手段が設定したグループ毎にデータを分別して記録する手段を備え、前記再生手段は、再生指示を受け付けた操作受付部に対応するグループに記録されているデータを再生する手段を備えることを特徴とする。
【００１９】
本発明の記録再生装置は、前記記録媒体で記録したデータが属する種別を規定したテーブルと、該テーブルに基づき再生指示を受け付けた操作受付部に対応するグループに係る種別に属するデータを特定する特定手段とを更に備え、前記再生手段は、前記特定手段が特定したデータを再生する手段を備えることを特徴とする。
【００２０】
本発明の記録再生装置は、前記記録媒体及び再生手段と、前記複数の操作受付部とは別体にしてあることを特徴とする。
【００２１】
本発明の記録再生装置は、タッチパネル式の表示部と、該表示部に前記複数の操作受付部を表示形成する手段とを更に備えることを特徴とする。
【００２２】
本発明の記録再生装置は、各グループに係る種別の名称が夫々対応する操作受付部毎に表記してあることを特徴とする。
【００２３】
本発明の記録再生装置は、表示部と、該表示部に各グループに係る種別の名称を夫々対応する操作受付部毎に表示する手段とを更に備えることを特徴とする。
【００２４】
本発明の記録再生装置は、前記操作受付部は、前記記録媒体が記録するデータに対しグループ指示を受け付けることを可能にしており、前記記録手段は、グループ指示を受け付けた操作受付部に対応するグループに係る種別に関連付けてデータを記録する手段を備えることを特徴とする。
【００２５】
本発明の記録再生装置は、表示部と、該表示部にグループ指示を受け付けた操作受付部に対応するグループに係る種別の名称を表示する手段とを更に備えることを特徴とする。
【００２６】
本発明の記録再生装置は、データを記録する記録媒体と、再生指示を受け付ける操作受付部と、該操作受付部が再生指示を受け付けたことに応じて前記記録媒体に記録してあるデータを再生する再生手段とを備える記録再生装置において、表示部と、データ内容に応じた種別に関連付けてデータを前記記録媒体に記録する記録手段と、該記録手段に係る種別毎にグループを複数設定する設定手段と、該設定手段が設定したグループに係る種別の名称を前記表示部に表示する表示手段と、該表示手段が表示した複数の名称に対し選択指示を受け付ける選択操作受付部とを備え、前記操作受付部は、前記選択操作受付部が選択指示を受け付けた名称の種別に係るグループに対し再生指示を受け付けており、前記再生手段は、前記操作受付部が再生指示を受け付けたグループに係る種別に関連したデータを再生する手段を備えることを特徴とする。
【００２７】
本発明の撮像装置は、前記記録再生装置と、撮像を行う撮像手段とを備え、前記記録媒体は、前記撮像手段が撮像を行った画像データを記録するようにしてあることを特徴とする。
【００２８】
本発明にあっては、記録対象の内容に応じた種別毎に設定したグループに夫々対応させて複数の操作受付部を設けているため、操作受付部毎に対応するグループ用の記録及び再生処理が可能になる。そのため、ある操作受付部が再生指示を受け付けた場合、再生指示に係るグループの種別を一義的に特定でき、その特定した種別に関連したデータを再生することにより、再生処理が容易化されると共にユーザの操作負担も軽減される。なお、種別毎のグループ設定は予め行うことも、随時行うことも可能である。
【００２９】
また、本発明にあっては、設定したグループ毎にデータを分別して記録するため、同類のデータが夫々まとめられた状態で記録されることになり、各操作受付部に対応した再生処理におけるアクセス範囲を限定できデータアクセスが容易になる。
【００３０】
さらに、本発明にあっては、データが属する種別をテーブルで規定することにより、このテーブルに基づき操作受付部に応じた種別を特定できるようになり、アクセス対象のデータ判別が容易になる。
【００３１】
さらに、また、本発明にあっては、複数の操作受付部を装置本体とは別体に設けることで、装置本体から離れた箇所からでも、再生対象に係るグループを指示できる。
【００３２】
また、本発明にあっては、タッチパネル式の表示部に複数の操作受付部を表示形成することで、ハード的に操作受付部を設ける場合に比べて構成を簡易化でき、また、操作受付部の増減、種別の名称変更にも柔軟に対応できる。
【００３３】
さらに、本発明にあっては、グループに係る種別の名称を操作受付部毎に表記することで、ユーザは各操作受付部が何れのグループに対応しているかを容易に判別できる。
【００３４】
さらに、また、本発明にあっては、グループに係る種別の名称を操作受付部毎に画面表示することで、各操作受付部に対応するグループが判別しやすくなり、また、画面表示であるため名称変更及びグループの増減等に対しても容易に対応できる。
【００３５】
本発明にあっては、データ記録に対しても操作受付部を利用することで、記録対象のデータがいずれのグループに係る種別であるかを指示できるようになる。
【００３６】
また、本発明にあっては、操作受付部に対応するグループの種別の名称を画面表示することで、現在の記録対象を明確にできる。
【００３７】
本発明にあっては、データ内容に応じた種別の名称を画面表示して選択可能にしているので、ユーザは再生する種別のデータを指示可能になり、その指示に応じてスムーズなデータ再生処理を実現できる。
【００３８】
また、本発明にあっては、撮像装置が上述した記録再生装置を備えるため、撮像に係る画像データを簡易な操作で記録及び再生することが可能になる。
【発明の効果】
【００３９】
本発明にあっては、再生対象の内容に応じた種別毎に設定したグループに夫々対応させて複数の操作受付部を設けることにより、いずれかの操作受付部を操作するだけで所望のデータを再生でき、再生に係る操作負担を軽減できる。
【００４０】
また、本発明にあっては、設定したグループ毎にデータを分別して記録することにより、データアクセスの対象を限定してスムーズな再生処理を実現できる。
【００４１】
さらに、本発明にあっては、データが属する種別をテーブルで規定することにより、再生対象のデータを容易に特定できる。
【００４２】
さらに、また、本発明にあっては、複数の操作受付部を装置本体とは別体のリモートコントローラに設けることで、装置の配置位置及び使用状況等に関係なく操作性を向上できる。
【００４３】
本発明にあっては、タッチパネル式の表示部に複数の操作受付部を表示形成することで、構成を簡易化でき、また、操作受付部に係る変更に対し柔軟に対応できる。
【００４４】
また、本発明にあっては、グループに係る種別の名称を操作受付部毎に表記又は画面表示することで、操作受付部及びグループの対応関係を容易に判別できる。
【００４５】
さらに、本発明にあっては、データ記録に対しても操作受付部を利用することで、データ再生に応じたデータの記録構造を形成するのに貢献できる。
【００４６】
さらに、また、本発明にあっては、操作された操作受付部に対応するグループに係る種別の名称を画面表示することで、現在の記録対象の認識が容易になる。
【００４７】
本発明にあっては、データに応じた種別の名称を画面表示して選択可能にすることで、ユーザの操作負担を軽減し所望のデータをスムーズに再生できる。
【００４８】
また、本発明にあっては、撮像装置が上述した記録再生装置を備えるため、撮像に係る画像データを容易に記録及び再生することが可能になる。
【発明を実施するための最良の形態】
【００４９】
図１は、本発明の第１実施形態に係る記録再生装置を備えた撮像装置であるデジタルビデオカメラ１の概略斜視図である。デジタルビデオカメラ１は、装置本体２の一端側に撮像レンズ２ａを設けると共に一側面に表示部３を開閉可能に設けている。表示部３は撮像画像及び再生画像等を表示する液晶画面４を有しており、液晶画面４を囲う枠部３ａの開閉ヒンジ側の縦辺に、再生指示を受け付ける複数の操作受付部として計５個の第１再生ボタン５ａ〜第５再生ボタン５ｅを設けている。
【００５０】
図１における液晶画面４は、各再生ボタン５ａ〜５ｅが対応する記録対象のデータ内容に応じた種別の名称を表示した状態である。具体的に液晶画面４は、第１再生ボタン５ａの横方箇所に「旅行」と云う文字を表示し、以下、第２再生ボタン５ｂの横方箇所に「お誕生会」、第３再生ボタン５ｃの横方箇所に「運動会」、第４再生ボタン５ｄの横方箇所に「学芸会」、第５再生ボタン５ｅの横方箇所に「未設定」と云う文字を表示している。
【００５１】
なお、種別の名称は、種別毎に設定されるグループに分類される画像データの内容を示したものであり、例えば「旅行」と云う種別のグループには旅行中又は旅行に関連する時期等に撮像された画像データが属することを意味する。また、「未設定」は第５再生ボタン５ｅに対応するグループに係る種別の名称が規定されていない状態を示している。また、デジタルビデオカメラ１は、本体装置２に撮像ボタン６、再生の開始停止ボタン７、電源スイッチ８等の各種ボタン・スイッチを設けている。
【００５２】
図２は、デジタルビデオカメラ１の内部構成を示すブロック図である。デジタルビデオカメラ１の内部は、主に撮像手段に相当する撮像部１０と記録再生装置に相当する記録再生部１１（図中、夫々一点鎖線で囲んだ部分）とに分かれている。撮像部１０は、撮像レンズ２ａで集光された像を電気信号に変換する撮像素子１０ａ、変換された電気信号に信号処理を施して記録再生部１１へ画像データとして出力するカメラ信号処理部１０ｂ及び撮像部１０の全体的な制御を行うカメラ制御部１０ｃ等を有している。なお、カメラ制御部１０ｃには撮像ボタン６が接続されており、撮像ボタン６が押し下げられることで受け付けた撮像指示信号はカメラ制御部１０ｃへ入力されて、撮像部１０の撮像処理が開始される。
【００５３】
一方、記録再生部１１はデータの記録及び記録したデータの再生処理を行うものであり、複数の処理部１２、１３等、ハードディスク１５、ビデオ入力端子１１ａ、ビデオ出力端子１１ｂ及び外部接続端子１１ｃのような各端子、並びに、リモコン受光部１１ｄを有している。以下、各処理部１２、１３等を順次説明する。
【００５４】
信号選択部１２は、撮像部１０のカメラ信号処理部１０ｂからの画像データ又はビデオ入力端子１１ａから入力された画像データのいずれか選択して圧縮伸張部１３へ伝送するものである。圧縮伸張部１３は、画像データを所要の圧縮方式（本実施形態ではＭＰＥＧ２フォーマット）で圧縮すると共に圧縮した画像データを元の状態に伸張する処理を行う。なお、圧縮伸張部１３は圧縮した画像データを記録再生処理部１４へ伝送し、伸張した画像データをビデオ出力部１７へ伝送する。
【００５５】
記録再生処理部１４は、後述するシステムコントローラ１６の指示信号に基づき、記録手段として圧縮伸張部１３で圧縮された画像データをハードディスク１５へ記録する処理を行うと共に、再生手段としてハードディスク１５の所要箇所から画像データを読み出して再生する処理を行う。
【００５６】
ハードディスク１５は、データを記録する記録媒体であり、撮像された画像データ及びビデオ入力端子１１ａから入力された画像データを記録する。本実施形態では、図３に示すような計５個のグループに対応したフォルダ毎に分別した状態で各データ１０〜４１を記録している。即ち、上層の画像フォルダ２０の下層には「旅行」「お誕生会」「運動会」「学芸会」「未設定」と云う種別毎に設定されたグループに対応した計５個のグループフォルダ２１〜２５が存在し、これらグループフォルダ２１〜２５毎にデータ１０〜４１が記録再生処理部１４の制御により夫々分別されて記録される。
【００５７】
各グループフォルダ２１〜２５には各再生ボタン５ａ〜５ｅが対応するように割り当てられている。即ち、「旅行」のグループフォルダ２１は第１再生ボタン５ａに対応しており、以下、「お誕生会」のグループフォルダ２２は第２再生ボタン５ｂ、「運動会」のグループフォルダ２３は第３再生ボタン５ｃ、「学芸会」のグループフォルダ２４は第４再生ボタン５ｄ、「未設定」のグループフォルダ２５は第５再生ボタン５ｅに夫々対応している。なお、各グループの設定、及び、各グループフォルダ２１〜２５と各再生ボタン５ａ〜５ｅとの割当は後述するようにシステムコントローラ１６により行われる。また、「未設定」のグループフォルダ２５はデジタルビデオカメラ１での所要操作によりグループに係る種別の名称を設定することが可能になっている。
【００５８】
各グループフォルダ２１〜２５には、後述するように対応する各再生ボタン５ａ〜５ｅの押し下げ操作によるグループ指示に応じて各データ１０〜４１が夫々記録され、また、いずれかの各再生ボタン５ａ〜５ｅの押し下げ操作に応じて対応する各グループフォルダ２１〜２５に記録された各データ１０〜４１の読出処理が行われるようになっている。例えば、旅行に係るデータを記録するときは、ユーザは第１再生ボタン５ａを押し下げ、この操作に伴い記録対象の画像データは第１再生ボタン５ａに対応する「旅行」のグループフォルダ２１に記録される。また、データ再生時に第１再生ボタン５ａが押されると、「旅行」のグループフォルダ２１に記録されているデータ１０〜１２が順次読み出されて再生される。
【００５９】
システムコントローラ１６は、上述した複数のグループを設定する設定手段に相当すると共に、データ記録時（以下、記録モードと称す）に係る制御、データ再生時（以下、再生モードと称す）に係る制御及び撮像部１０も含めたデジタルビデオカメラ１の全体的な制御を行う。なお、システムコントローラ１６は、各再生ボタン５ａ〜５ｅ、データ記録に対する開始停止ボタン７、その他のボタン・スイッチ（図２では図示せず）、外部接続端子１１ｃ及びリモコン受光部１１ｄと接続されている。
【００６０】
システムコントローラ１６は、設定手段として内蔵されたプログラムに基づき上述したグループ及び各グループに係るグループフォルダ２１〜２５をハードディスク１５に対して設定すると共に、各グループフォルダ２１〜２５に対応する各再生ボタン５ａ〜５ｅの割当を決定する。よって、システムコントローラ１６はこのように設定及び決定した内容に基づきデータの記録及び再生等に係る指示を記録再生処理部１４、ハードディスク１５等に出力する。
【００６１】
また、システムコントローラ１６は、開始停止ボタン７の押し下げによる記録開始指示を受け付けることで上述した記録モードを開始する制御を行う。この場合、システムコントローラ１６は、開始停止ボタン７の次に押し下げられた各再生ボタン５ａ〜５ｅの記録指示（グループ指示）を受け付けることにより、押し下げられた各再生ボタン５ａ〜５ｅに対応するグループフォルダ２１〜２５に画像データを記録するように記録再生処理部１４へ指示信号を出力する。この指示信号の出力により、記録再生処理部１４はデータ内容に応じた種別に関連付けてデータをハードディスク１５に記録することが可能になる。なお、システムコントローラ１６は、開始停止ボタン７の再度の押し下げによる指示を受け付けて記録モードを終了する。
【００６２】
さらに、システムコントローラ１６は、各再生ボタン５ａ〜５ｅのいずれかの押し下げによる再生指示を受け付けることで再生モードを開始する制御を行う。この場合、システムコントローラ１６は押し下げられた再生ボタン５ａ〜５ｅに対応するグループフォルダ２１〜２５よりデータ１０〜４１を読み出すように記録再生処理部１４へ指示信号を出力する。この指示信号の出力により記録再生処理部１４は、所要のグループに係る種別に関連したデータを再生することが可能になる。なお、システムコントローラ１６は、上述した記録モード及び再生モードでは記録再生部１１の動作状態を示す文字データ（記録中、再生中）及び処理対象のグループに係る種別の名称等を表示処理部１９が表示するように指示を出力することも行う。
【００６３】
さらに、また、システムコントローラ１６は、上述した処理以外にもリモコン受光部１１ｄで受光した信号内容、外部接続端子１１ｃで受け付けた信号内容に応じて上述した記録モード及び再生モードの処理を行えるようにしている。なお、外部接続端子１１ｃにはパーソナルコンピュータ及びＰＤＡ等の各種入力機器の接続が可能である。
【００６４】
また、システムコントローラ１６は、図示しないボタン・スイッチによる入力内容、リモコン受光部１１ｄで受光した信号内容、外部接続端子１１ｃで受け付けた信号内容に応じて「未設定」の第５再生ボタン５ｅが対応するグループフォルダ２５の種別に係る名称を設定することも可能にしている。また、システムコントローラ１６は、再生した画像データの表示、伸張した画像データをビデオ出力端子１１ｂから外部へ出力する指示等をビデオ出力部１７に対して行う。
【００６５】
ビデオ出力部１７は、圧縮伸張部１３で伸張された画像データをテレビフォーマットに適合した信号に変換し、システムコントローラ１６の指示に基づき表示インタフェース部１８又はビデオ出力端子１１ｂのいずれかに出力する。表示インタフェース部１８は、図１に示す液晶画面４と接続されており、ビデオ出力部１７からの画像データを液晶画面４に表示する処理を行う。なお、表示インタフェース部１８は、後述するように表示処理部１９から伝送された動作状況及び種別の名称に係る表示用データを液晶画面４に表示する処理も行う。また、デジタルビデオカメラ１は、圧縮伸張部１３が記録モードで記録対象の画像データをビデオ出力部１７へも伝送することで、液晶画面４に記録される画像データを表示してユーザがモニタできるようにすることも可能にしている。
【００６６】
表示処理部１９は、記録再生部１１の動作状況及び各再生ボタン５ａ〜５ｅに対応するグループに係る種別の名称を液晶画面４に表示する処理を行うものであり、内部メモリ（図示せず）に文字データのような各種表示用データを記録している。例えば、表示処理部１９は、システムコントローラ１６が出力した指示に基づき、動作状態の文字データを表示インタフェース部１８へ出力する処理を行う。なお、このように文字データを出力することにより、再生モードでは「再生中」の文字が液晶画面４の右上に表示されることになる。また、記録モードでは、記録されるデータ内容に応じた種別名称の文字データも出力し、例えば、学芸会に係る画像データを記録する場合は、「記録中」及び「学芸会」の文字が液晶画面４に表示される。
【００６７】
さらに、表示処理部１９はデジタルビデオカメラ１の電源スイッチ８がオンされると、図１に示すように各再生ボタン５ａ〜５ｅの横方となる液晶画面４の箇所に種別の名称が表示されるように、表示位置を指定して種別名称に係る文字データを表示インタフェース部１８へ出力する。このように名称を表示することで、各再生ボタン５ａ〜５ｅが割り当てられているグループに係る種別をユーザが容易に確認でき、記録及び再生時において、自身が望むデータが属する種別に対応する各再生ボタン５ａ〜５ｅを適切に操作できる。
【００６８】
次に上述したデジタルビデオカメラ１における撮像した画像データを記録する記録モードの処理手順及び再生モードの処理手順を図４の第１フローチャート及び図５の第２フローチャートに基づき夫々説明する。
【００６９】
先ず、図４の第１フローチャートに示すように、デジタルビデオカメラ１の電源スイッチ８がオンされることにより（Ｓ１）、システムコントローラ１６が制御を開始する。なお、この電源スイッチ８のオンに伴う制御開始により、図１に示すように液晶画面４には各グループに係る種別の名称が表示される。次に、ユーザによる開始停止ボタンの押し下げを受け付けて（Ｓ２）、システムコントローラ１６の処理は記録モードに設定される（Ｓ３）。
【００７０】
この記録モードで、システムコントローラ１６は、第１〜第５再生ボタン５ａ〜５ｅのいずれかがユーザにより押し下げられたことを受け付けて（Ｓ４）、押し下げに対応するグループフォルダ２１〜２５を特定する（Ｓ５）。例えば、第３再生ボタン５ｃが押し下げられると、システムコントローラ１６は図３に示す「運動会」のグループフォルダ２３を特定する。また、システムコントローラ１６は特定したグループフォルダ２３に画像データを記録するように記録再生処理部１４へ指示信号を出力する。
【００７１】
上述したような状態で、撮像ボタン６が押し下げられることにより撮像部１０で画像データが撮像され（Ｓ６）、撮像された画像データは記録再生部１１へ伝送される。伝送された画像データは圧縮伸張部１３で圧縮され（Ｓ７）、記録再生処理部１４がシステムコントローラ１６により特定されたハードディスク１５内のグループフォルダ２３に画像データを記録する（Ｓ８）。このような処理を撮像毎に行っていくことで、図３に示すようなグループ分けされた状態で各データ１０〜４１がハードディスク１５に記録される。
【００７２】
次に、再生モードの処理を図５の第２フローチャートに基づき説明する。なお、第２フローチャートは電源スイッチ８が既にオンされた状態からの処理になっている。
【００７３】
先ず、第１〜第５再生ボタン５ａ〜５ｅのいずれかがユーザにより押し下げられたことを受け付けて（Ｓ１０）、押し下げに対応するグループフォルダ２１〜２５をシステムコントローラ１６が特定する（Ｓ１１）。例えば、第４再生ボタン５ｄが押し下げられると、システムコントローラ１６は図３に示す「学芸会」のグループフォルダ２４を特定する。また、システムコントローラ１６は、特定したグループフォルダ２４より画像データを読み出すように記録再生処理部１４へ指示する。
【００７４】
システムコントローラ１６からの指示を受け付けて、記録再生処理部１４は特定されたグループフォルダ２３より画像データ（データ３０〜３２）を順次読み出し（Ｓ１２）、読み出した画像データを圧縮伸張部１３が伸張し（Ｓ１３）、ビデオ出力部１７及び表示インタフェース部１８を介して液晶画面４に画像データを再生表示する（Ｓ１４）。
【００７５】
このように本発明に係るデジタルビデオカメラ１では、各再生ボタン５ａ〜５ｅのいずれかを押し下げるだけで所要の画像データを再生表示でき、見たい画像データを探すという操作を不要にしている。また、画像データを探すと云う操作は、記録されている画像データが多大になるほど困難になるため、本発明は記録媒体に画像データが多く記録されているほど従来に比べて優位性を発揮する。また、各再生ボタン５ａ〜５ｅに対応するグループの種別名称は液晶画面４に表示されているため、ユーザは表示を確認するだけで自身が望むグループに属する画像データを容易に選択できる。
【００７６】
なお、第１実施形態に係るデジタルビデオカメラ１は上述した形態に限定されるものではなく種々の変形例の適用が可能である。例えば、装置本体２に設けられる各再生ボタン５ａ〜５ｅの個数は適宜増減可能であり、グループフォルダ数も再生ボタン数に応じて設定できる。また、記録媒体にはハードディスク以外にもランダムにアクセスして記録及び読み出しが可能なＣＤ、ＤＶＤのような光ディスク及び半導体メモリも適用でき、このような記録媒体は装置本体２に内蔵する形態以外にも、装置本体２に記録媒体が脱着されるような形態も可能である。なお、記録媒体に光ディスク及び半導体メモリを適用するときは、装置本体２に記録媒体に対してデータの読出及び書込みを行う処理部を設ける必要がある。
【００７７】
さらに、画像データとしては静止画及び動画の両方に適用できるため、第１実施形態の処理をデジタルカメラにも適用することも可能である。さらに、また、設定するグループは、装置本体２に設けた各種ボタンの操作又は外部接続端子１１ｃに接続した外部機器からの操作により適宜設定できるようにすることも可能であり、グループの追加、削除等にも対応できる。
【００７８】
また、各グループに係る種別の名称も上記以外にも設定することは可能であり、例えば、撮影時期に対応させて「春」「夏」「秋」「冬」と云うような名称に設定でき、さらには、「幼稚園」「小学校」「中学校」と云うように年代別にグループを設定してもよい。重要なことは、そのグループが記録する画像データの内容に応じた関連する種別の名称を設定することである。このように名称を設定することで、ユーザは名称を見るだけでも容易に画像データの種別を判断でき、さらに、各再生ボタン５ａ〜５ｅがいずれの種別に対応するかを名称の表示箇所より判別できる。
【００７９】
図６は第１実施形態の変形例に係る表示部２３を示している。表示部２３は、液晶画面２４の枠部２３ａに設けた各再生ボタン２５ａ〜２５ｅの各下部に、各再生ボタン２５ａ〜２５ｅが対応するグループに係る種別の名称を表記している。よって、本変形例においては図１とは異なりグループ名称を液晶画面２４に表示しない。そのため、図２に示す表示処理部１９の処理負担を軽減し、装置コストの低減を図っている。なお、第５再生ボタン２５ｅは未設定なので空欄にしており、ユーザが自由に名称を書き込めるようにしている。
【００８０】
図７（ａ）（ｂ）は第１実施形態の別の変形例に係る表示部３３を示している。表示部３３は、タッチパネル方式の液晶画面３４を用いており、図１に示すようなハード的な再生ボタン５ａ〜５ｅではなく、図７（ｂ）に示すように液晶画面３４に表示されるソフト的な各再生ボタン３５ａ〜３５ｅを表示形成している。なお、電源スイッチがオンされると、図７（ａ）に示すように液晶画面３４に表示ボタン３５ｘが表示され、この表示ボタン３５ｘに触れることで、図７（ｂ）に示す各再生ボタン３５ａ〜３５ｅの表示に切り替わる。
【００８１】
上述した表示を行うため、図２に示すブロック図における表示処理部１９は、図７（ａ）（ｂ）の表示内容に係るデータを表示インタフェース部１８へ適宜出力して液晶画面３４に表示するようにしている。また、表示インタフェース部１８はタッチパネル方式に対応して液晶画面３４に表示される各ボタンが触れられたことを検知して、所要の検知信号をシステムコントローラ１６へ伝送する。システムコントローラ１６は表示インタフェース部１８からの検知信号により所要のボタン操作が行われたことを認識して、認識した内容に応じた指示及び制御を行う。
【００８２】
また、本変形例ではソフト的に各再生ボタン３５ａ〜３５ｅを表示形成することより、各再生ボタン３５ａ〜３５ｅのボタン数を増減する変更も容易になる。この変更は外部接続端子１１ｃを介した操作及び装置本体２に設けた所要ボタンの操作等により行うことができ、また、このような操作を行うことで、変更したボタンに対応するグループフォルダ２１〜２５も連動して増減される。なお、上述した変更に伴いシステムコントローラ１６は増減に係る各再生ボタン３５ａ等及びグループフォルダ２１等の対応関係を把握し直し、表示処理部１９に記録された各再生ボタン３５ａに係る表示データを書き直すと共にハードディスク１５の記録構造を修正する。
【００８３】
このようにソフト的に各再生ボタン３５ａ〜３５ｅを設けることにより、ハード的に設けるボタン数を低減でき、装置（デジタルビデオカメラ）に係る機構的な構成を簡易化でき、また、ボタン数及びグループ数の増減にも柔軟に対応でき、グループの名称変更も容易に行える。
【００８４】
図８は第１実施形態の別の変形例に係る表示部４３を示している。本変形例の表示部４３は、液晶画面４４に各グループに係る種別の名称を示すメニュー４５ｆを表示し、枠部４３ａには再生ボタン４５ｘ、上移動ボタン４５ｙ及び下移動ボタン４５ｚを設けている。本変形例では各移動ボタン４５ｙ、４５ｚは選択指示を受け付ける選択操作受付部に相当し、上移動ボタン４５ｙを押し下げることによりメニュー４５ｆで選択される名称が上方に移動し、下移動ボタン４５ｚを押し下げることによりメニュー４５ｆで選択される名称が下方に移動する。また、名称が選択されている状態で操作受付部に相当する再生ボタン４５ｘを押し下げることで選択された名称の種別に係るグループが決定され、このグループに対する再生指示がシステムコントローラ１６に伝えられる。
【００８５】
例えば、図８ではメニュー４５ｆの「学芸会」と云う名称が選択された状態であり、この状態で再生ボタン４５ｘを押し下げると、「学芸会」の種別に係るグループが決定される。このことは、図１に示すデジタルビデオカメラ１で第４再生ボタン５ｄが押し下げられたことと同意になる。よって、システムコントローラ１６は、決定されたグループを把握して記録モード及び再生モードの処理を行うことになる。即ち、記録モードでは決定されたグループに対応するグループフォルダにデータが記録され、再生モードでは決定されたグループに係る種別に関連するデータとして、対応するグループフォルダからデータを読み出して再生する処理を行う。
【００８６】
なお、本変形例では表示処理部１９が表示手段としてメニュー４５ｆに応じた表示用のデータを表示インタフェース部１８へ伝送すると共に、システムコントローラ１６には再生ボタン４５ｘ、上移動ボタン４５ｙ、下移動ボタン４５ｚが接続された構成になる。また、グループに係る種別の増減は、図７（ａ）（ｂ）に係る変形例と同様に表示データ及びデータ記録用のグループフォルダを適宜修正することで対応できる。
【００８７】
このように図８に係る変形例ではメニュー４５ｆでグループに係る種別の名称を表示することで、複数の再生ボタンを廃止して機構を簡易にでき、また、グループ数の増減及び種別の名称の変更等に対し柔軟に対応できる。
【００８８】
図９は別の変形例を示し、装置本体２とは別体に設けられたリモートコントローラ（操作部）５１を示している。リモートコントローラ５１は、グループ用操作部５２に第１再生ボタン５５ａ〜第５再生ボタン５５ｅを設けている。リモートコントローラ５１の各再生ボタン５５ａ〜５５ｅは、図１に示す装置本体２に設けられた各再生ボタン５ａ〜５ｅと同様の機能を有するものであり、リモートコントローラ５１の各再生ボタン５５ａ〜５５ｅが押し下げられることで、装置本体２の各再生ボタン５ａ〜５ｅが押し下げられた場合と同様の処理が行われる。
【００８９】
なお、リモートコントローラ５１で操作された内容は、図２に示すリモコン受光部１１ｄを介してシステムコントローラ１６に伝えられる。また、図９に示すようなリモートコントローラ５１を用いる場合は、装置本体２に設ける各再生ボタン５ａ〜５ｅ（上述した各変形例の再生ボタン、メニューも含む）を省略することも可能である。このようにリモートコントローラ５１にも各再生ボタン５５ａ〜５５ｅを設けることで、リモートコントローラ５１におけるデータ記録及びデータ再生に係る操作を従来に比べて簡易化でき、相対本体２の位置及び状況に関係なくリモートコントローラ５１で所要の操作を行える。
【００９０】
図１０（ａ）（ｂ）は別の変形例に係るデータ記録構造を示し、図３に示すハードディスク１５での記録構造と相異するものである。本変形例では、第１画像フォルダ６０及び第２画像フォルダ６１が設けられており、各画像フォルダ６０、６１にデータ１００〜２９９が夫々のデータ内容とは関係なく適宜記録されている。また、図１０（ｂ）に示すテーブル２０は、ハードディスク１５に記録されるファイルの中身を示しており、本変形例では各データ１００〜２９９の記録毎にテーブル内容が更新される。なお、本変形例のデジタルビデオカメラに係るハード的な構成は図１及び図２に示すものと同様であると共にデータ記録及びデータ再生に対するユーザの操作は図１に示すデジタルビデオカメラ１と同様であるが、記録再生部１１での処理が相異する。
【００９１】
即ち、本変形例ではハードディスク１５には各グループにフォルダ名及びデータ名を対応させたテーブル６２の原型となるものが予めファイルとして記録されている。記録モードで各再生ボタン５ａ〜５ｅのいずれかが押し下げられた場合、記録対象のデータ自体は図１０（ａ）に各画像フォルダ６０、６１のいずれかに記録されるが、この記録の際にテーブル６２の原型における押し下げられた各再生ボタン５ａ〜５ｅに対応するグループにおける各種別の欄に、記録されたフォルダ名とデータ名を夫々書き込まれる処理が行われる。この処理はシステムコントローラ１６の指示に基づき記録再生処理部１４が行う。
【００９２】
例えば、記録モードで第１再生ボタン５ａが押し下げられて第１画像フォルダ６０にデータ１００が記録された場合、テーブル６２の「旅行」と云う種別の欄と対応する「フォルダ名」及び「データ名」に、「第１画像フォルダ」及び「データ１００」が夫々書き込まれる。以降、各データの記録毎に上述した処理を行うことで各データが属する種別を規定したテーブル６２が形成される。
【００９３】
次に、再生モードで各再生ボタン５ａ〜５ｅのいずれかが押し下げられると、テーブル６２の内容を参照して押し下げられたグループに対応するデータがハードディスク１５より順次読み出される。例えば、再生モードで第２再生ボタン５ｂが押し下げられた場合、システムコントローラ１６が第２再生ボタン５ｂに対応するグループである「お誕生会」の種別に属するデータを読み出すように記録再生処理部１４へ指示を出力する。記録再生処理部１４は指示を受け付けると、テーブル６２に基づき「お誕生会」の種別に属するフォルダ名及びデータ名を特定し、この特定した内容に基づき図１０（ａ）に示すデータ記録構造からデータ１０１、１０３、２０１、２０２を順次読み出して再生する処理を行う。よって、このようなデータ記録構造を採用することでも、ユーザのデータ記録及びデータ再生に対する操作を簡易化できる。なお、本変形例では、同一のデータを相異する種別に属させることも可能になり、更に幅広い使用性を提供できる。
【００９４】
図１１は、本発明の第２実施形態に係る記録再生装置７０の概略斜視図である。記録再生装置７０は、図示しない外部機器又は内蔵する光ディスク再生部７１より入力されたデータを記録すると共に、記録したデータ又は記録中のデータをビデオ出力端子に接続した接続ケーブルＳを通じて外部のモニタ装置９０へ出力し、画面９３に表示できるようにしたものである。また、記録再生装置７０は、自身に付属する別体のリモートコントローラ８０により所要の操作を可能にしている。
【００９５】
記録再生装置７０はデータ内容に応じた種別毎に設定された複数のグループに夫々対応する第１再生ボタン７５ａ〜第５再生ボタン７５ｅを備えており、各再生ボタン７５ａ〜７５ｅの下方には対応するグループの名称を表記している（図１１では記載せず）。また、リモートコントローラ８０も各グループに夫々対応する第１再生ボタン８５ａ〜第５再生ボタン８５ｅを備えている。なお、リモートコントローラ８０の各再生ボタン８５ａ〜８５ｅには「１」〜「５」の数字を表示している。
【００９６】
記録再生装置７０は第１実施形態のデジタルビデオカメラ１より撮像部１０を省略したような構成になっており、内部構成は図２に示す第１実施形態のデジタルビデオカメラ１における記録再生部１１と略同等である。よって、記録再生装置７０の内部構成に係る各部については第１実施形態と同様の符号を用いて説明する。
【００９７】
第１実施形態の記録再生部１１と相異する構成としては、信号選択部１２が撮像部１０ではなく図２で図示していない光ディスク再生部７１とビデオ入力端子１１ａとからのデータを選択できるようにしている点と、記録再生装置７０は自身が表示部を備えていないため表示インタフェース部１８が存在せず、表示処理部１９とビデオ出力部１７とが直接的に接続されている点が挙げられる。また、本実施形態の表示処理部１９は、図１１でモニタ装置９０の画面９３に表示されたメニュー９４に係る表示データを記録しており、リモートコントローラ８０での操作時にメニュー９４を表示して、各再生ボタン８５ａ〜８５ｅに対応するグループに係る種別の名称が容易に把握できるようにしている。
【００９８】
第２実施形態の記録再生装置７０は、上述した部分以外は第１実施形態と同様の処理を行う。よって、記録モードでは、記録再生装置７０の各再生ボタン７５ａ〜７５ｅ又はリモートコントローラ８０の各再生ボタン７５ａ〜７５ｅを操作することで、記録対象のデータを適宜種別に関連付けて記録できる。また、再生モードでは、記録再生装置７０又はリモートコントローラ８０の各再生ボタン７５ａ〜８５ｅのいずれかを操作するだけで、所望のデータを再生でき、ユーザの操作負担を軽減できる。
【００９９】
なお、記録再生装置７０は第１実施形態の各種変形例を適用でき、図７（ａ）（ｂ）に示す変形例を適用する場合は、タッチパネル式の画面９３を有するモニタ装置９０をデータ表示用に接続する必要がある。
【０１００】
図１２は、本発明の第３実施形態に係る記録再生装置１００の概略斜視図である。記録再生装置１００は、光ディスクに音楽データを記録すると共に光ディスクより音楽データを読み出して再生するものである。装置本体１０１と接続線Ｃで接続されたリモートコントロール部１０２には液晶画面の表示部１０３に沿って第１再生ボタン１０５ａ〜第５再生ボタン１０５ｅを設けている。表示部１０３における各再生ボタン１０５ａ〜１０５ｅ側の箇所にはメニュー１０４を表示して、各再生ボタン１０５ａ〜１０５ｅが対応するグループに係る種別の名称を表示している。
【０１０１】
記録再生装置１００は音楽データの記録、再生を行うため、内部構成も図２に示す第１実施形態のデジタルビデオカメラ１における記録再生部１１を音楽データ用に変形したものになっている。即ち、信号選択部１２が外部入力端子又は光ディスク読取部からの音楽データを選択するようにしており、圧縮伸張部は音楽圧縮規格（例えばＭＰ３）に応じた圧縮伸張処理を行う。また、出力するデータが音楽であるためビデオ出力部１７も省略されており、ビデオ出力端子１１ｂもイヤホーンＥを有する接続線Ｃが接続される外部出力端子に置き換えられている。なお、図１２に示すように装置本体１０１には、動作状況を示す液晶画面１０１ａが設けられているため、表示インタフェース部１８及び表示処理部１９は残されている。
【０１０２】
また、各再生ボタン１０５ａ〜１０５ｄが対応するグループに係る種別には音楽ジャンルの名称が割り当てられており、「ＲＯＣＫ」「ＰＯＰＳ」「ＪＡＺＺ」「歌謡曲」等の名称がメニュー１０４として表示される。上述した部分以外は、第１実施形態と同等の処理を行う。
【０１０３】
即ち、記録モードでは各再生ボタン１０５ａ〜１０５ｅを操作することで、記録対象の音楽データをグループに対応させて記録でき、再生モードでは各再生ボタン１０５ａ〜１０５ｅのいずれかを操作するだけで、所望の音楽データを順次再生でき、ユーザの操作性を向上している。なお、記録再生装置１００も第１実施形態の各種変形例を適用でき、図７（ａ）（ｂ）に示す変形例を適用する場合は、リモートコントロール部１０２の液晶表示部１０３と装置本体１０１の液晶画面１０１ａとのいずれか若しくは両方をタッチパネル式にする必要がある。
【０１０４】
また、本発明の第４実施形態としてデータの再生のみを行う再生装置が存在する。この再生装置は、第１実施形態のデジタルビデオカメラ１の記録再生部１１に近似した構成を有しているが、データ記録に係る処理部分を省略すると共に、記録媒体を内蔵せずに記録媒体を受け入れる媒体受入部を設けた構成にしている。
【０１０５】
具体的に図２に示す構造に基づいて説明すると、ビデオ入力端子１１ａ、信号選択部１２を省略すると共に、圧縮伸張部１３はデータ伸張に係る処理のみを行い、記録再生処理部１４は上述した媒体受入部と接続されてデータを読み出して再生する処理のみを行う。
【０１０６】
媒体受入部に受け入れられる記録媒体としては、半導体メモリ、光ディスク及び着脱型のハードディスクドライブ等が該当し、この記録媒体には予め図３に示すような記録構造又は図１０（ａ）（ｂ）に示すような記録構造でデータが記録されている。なお、第４実施形態の再生装置に関し、上述した部分以外は、第１実施形態の記録再生部１１と同様であり、各再生ボタンの操作に応じて所要のデータを容易に再生することができる。また、第１実施形態の変形例も再生処理に係る部分に対して適用できる。
【図面の簡単な説明】
【０１０７】
【図１】本発明の第１実施形態に係るデジタルビデオカメラの概略斜視図である。
【図２】第１実施形態のデジタルビデオカメラの内部構成を示すブロック図である。
【図３】データの記録構造を示す概略図である。
【図４】記録モードの処理手順を示す第１フローチャートである。
【図５】再生モードの処理手順を示す第２フローチャートである。
【図６】第１実施形態の変形例に係る表示部を示す概略図である。
【図７】（ａ）（ｂ）は別の変形例に係る表示部を示す概略図である。
【図８】別の変形例に係る表示部を示す概略図である。
【図９】別の変形例に係るリモートコントローラを示す概略平面図である。
【図１０】（ａ）は変形例のデータ記録構造に係る概略図であり、（ｂ）はデータ記録用のファイルに係るテーブルを示す図表である。
【図１１】本発明の第２実施形態に係る記録再生装置の概略斜視図である。
【図１２】本発明の第３実施形態に係る記録再生装置の概略斜視図である。
【符号の説明】
【０１０８】
１  デジタルビデオカメラ
２  装置本体
３  表示部
４  液晶画面
５ａ  第１再生ボタン
５ｂ  第２再生ボタン
５ｃ  第３再生ボタン
５ｄ  第４再生ボタン
５ｅ  第５再生ボタン
１０  撮像部
１１  記録再生部
１４  記録再生処理部
１５  ハードディスク
１６  システムコントローラ
５１  リモートコントローラ
６２  テーブル
７０、１００  記録再生装置
【図１】
2005071440.tif 000003
【図２】
2005071440.tif 000004
【図３】
2005071440.tif 000005
【図４】
2005071440.tif 000006
【図５】
2005071440.tif 000007
【図６】
2005071440.tif 000008
【図７】
2005071440.tif 000009
【図８】
2005071440.tif 000010
【図９】
2005071440.tif 000011
【図１０】
2005071440.tif 000012
【図１１】
2005071440.tif 000013
【図１２】
2005071440.tif 000014